(57)【要約】【課題】第２の排気ファンが、第１の排気ファンの排気側に、その一部が第１の排気ファンと重なるように配される場合に、双方の排気ファンによる騒音が経時的に変化し難い投写型表示装置を提供する。【解決手段】投写型表示装置は、主として光源７からの排気を行うための第１の排気ファン１４と、主として前記光源以外からの排気を行うための第２の排気ファン１５とを備える。第２の排気ファン１５は、第１の排気ファン１４の排気側に、その一部が第１の排気ファン１４に重なるように配される。さらに、第１の排気ファン１４と第２の排気ファン１５との距離Ｄが、当該距離Ｄに対する当該投写型表示装置の騒音値の変化特性において、当該距離Ｄが変化しても騒音値が変化しない平坦区間Ｆに設定される。【選択図】図６
2011075732.tif 000002
【特許請求の範囲】
【請求項１】
光源からの光を変調し、変調された光を拡大投写する投写型表示装置において、
主として前記光源からの排気を行うための第１の排気ファンと、
主として前記光源以外からの排気を行うための第２の排気ファンと、
を備え、
前記第２の排気ファンは、前記第１の排気ファンの排気側に、その一部が前記第１の排気ファンに重なるように配されるとともに、
前記第１の排気ファンと前記第２の排気ファンとの距離が、当該距離に対する当該投写型表示装置の騒音値の変化特性において、当該距離が変化しても騒音値が変化しない区間に設定される、
ことを特徴とする投写型表示装置。
【請求項２】
請求項１に記載の投写型表示装置において、
前記第１の排気ファンおよび前記第２の排気ファンの下流側に設けられた排気口を備え、
前記第１の排気ファンと前記第２の排気ファンとの距離が、前記排気口からの排気温度が規定温度を超えない距離に設定される、
ことを特徴とする投写型表示装置。
【請求項３】
請求項１または２に記載の投写型表示装置において、
前記第１の排気ファンと前記第２の排気ファンとの距離が、前記第１の排気ファンの温度がその保障温度を超えない距離に設定される、
ことを特徴とする投写型表示装置。
【発明の詳細な説明】
【技術分野】
【０００１】
本発明は、光源からの光を変調し、変調した光を拡大投写する投写型表示装置に関する。
【背景技術】
【０００２】
液晶プロジェクタ等の投写型表示装置には、高圧水銀ランプ等の高輝度な光源が用いられている。このような光源は非常に高温となるため、光源からの排熱を行うには、排気能力の高い排気機構を用いる必要がある。
【０００３】
特許文献１には、主として光源からの排気を行うための第１の排気ファンと、主に光源以外からの排気を行うための第２の排気ファンとを備え、第１の排気ファンの排気側に第２の排気ファンを一部重ねて配置するようにした投写型表示装置が記載されている。
【０００４】
かかる構成では、第１の排気ファンからの排気の一部が第２の排気ファンに引き込まれる。これにより、光源周りの空気の排出が促進され得る。
【先行技術文献】
【特許文献】
【０００５】
【特許文献１】特開２００８−１０２３７５号公報
【発明の概要】
【発明が解決しようとする課題】
【０００６】
上記投写型表示装置では、第１の排気ファンと第２の排気ファンが、比較的近い距離に配されるため、運転の際、双方の排気ファンが共振することによる騒音が発生し易い。この場合、経時的に騒音が変化すると、ユーザに違和感を生じさせ得る。
【０００７】
本発明は、かかる課題を解消するためになされたものであり、第２の排気ファンが、第１の排気ファンの排気側に、その一部が第１の排気ファンと重なるように配される場合に、双方の排気ファンによる騒音が経時的に変化し難い投写型表示装置を提供することを目的とする。
【課題を解決するための手段】
【０００８】
本発明は、光源からの光を変調し、変調された光を拡大投写する投写型表示装置に関する。本発明の投写型表示装置は、主として前記光源からの排気を行うための第１の排気ファンと、主として前記光源以外からの排気を行うための第２の排気ファンとを備える。前記第２の排気ファンは、前記第１の排気ファンの排気側に、その一部が前記第１の排気ファンに重なるように配される。さらに、前記第１の排気ファンと前記第２の排気ファンとの距離が、当該距離に対する当該投写型表示装置の騒音値の変化特性において、当該距離が変化しても騒音値が変化しない区間に設定される。
【０００９】
本発明の構成によれば、投写型表示装置が使用されているうちに、万一、第１の排気ファンや第２の排気ファンの固定が緩むなどして、双方の排気ファンの距離が変動しても、これに伴う騒音値の変化が抑えられる。よって、騒音値が変わることにより、ユーザに違和感を生じさせてしまうのを防止することができる。
【００１０】
なお、請求項１において、「騒音値が変化しない区間」との記載は、騒音値が全く変化しない区間のみならず、騒音値はわずかに変化するが、その区間の前後の騒音の変化と比較して、はるかに小さな変化となる区間をも含む概念である。
【００１１】
本発明の投写型表示装置は、前記第１の排気ファンおよび前記第２の排気ファンの下流側に設けられた排気口を備えるよう構成され得る。この場合、前記第１の排気ファンと前記第２の排気ファンとの距離が、前記排気口からの排気温度が規定温度を超えない距離に設定される。
【００１２】
このような構成とすれば、排気口から過度に高温の空気が排出されるのを防止することができる。
【００１３】
本発明の投写型表示装置は、前記第１の排気ファンと前記第２の排気ファンとの距離が、前記第１の排気ファンの温度がその保障温度を超えない距離に設定されるよう構成され得る。
【００１４】
このような構成とすれば、第１の排気ファンが高温となってその動作に支障をきたしてしまうのを防止できる。
【発明の効果】
【００１５】
以上のとおり、本発明によれば、第２の排気ファンが、第１の排気ファンの排気側に、その一部が第１の排気ファンと重なるように配される場合に、双方の排気ファンによる騒音が経時的に変化し難い投写型表示装置を提供することができる。
【００１６】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００１７】
【図１】実施の形態に係るプロジェクタの外観構成を示す図である。
【図２】実施の形態に係るプロジェクタの内部構成を示す図である。
【図３】実施の形態に係る光源ランプおよび光学系の構成を示す図である。
【図４】実施の形態に係る第１の排気ファンおよび第２の排気ファンの排気口への取付構造を示す要部の斜視図である。
【図５】実施の形態に係る光源ランプおよび電源部からの排気について説明するための図である。
【図６】実施の形態に係る温度・騒音試験に使用したプロジェクタにおける第１の吸気ファンおよび第２の吸気ファンの具体的な配置関係を示す図、並びに温度センサおよびマイクの配置関係を示す図である。
【図７】実施の形態に係る第１の排気ファンと第２の排気ファンとの距離に対する排気温度、ファン温度および騒音値の測定結果を示すグラフである。
【発明を実施するための形態】
【００１８】
以下、図面を参照して、本発明の実施の形態について説明する。
【００１９】
図１は、プロジェクタの外観構成を示す斜視図である。同図を参照して、プロジェクタは、その外郭を構成するキャビネット１を備えている。キャビネット１は、上キャビネット１ａと、下キャビネット１ｂと、前キャビネット１ｃの３つ部材で構成されている。
【００２０】
キャビネット１の前面左側には、投写窓２が設けられている。投写窓２からは、投写レンズ３が前方に臨んでいる。キャビネット１の前面右側と右側面には、それぞれ、排気口４、５が形成されている。前面の排気口４は、多数の丸孔からなる。側面の排気口５は、横向きに形成された多数のルーバーと、ルーバー間に形成されたスリット状の孔からなる。キャビネット１の上面中央部には、多数の操作ボタンからなる操作部６が設けられている。
【００２１】
図２は、プロジェクタの内部構成を示す斜視図である。図１の構成から上キャビネット１ａ、前キャビネット１ｃを外し、さらにメイン制御基板（図示せず）を取り外すと、図２に示す内部構造が現われる。
【００２２】
キャビネット１の内部において、前面側から見て右側奥部には、光源７が配されている。光源７は、光源ランプ８と光源ランプ８が収容されるハウジング９とを備えている。光源７から投写レンズ３に至るように、光学系１０がＬ字状に配されている。
【００２３】
光源７の前方には、電源部１１が配されている。電源部１１は、電源回路やランプバラストを備えており、光源ランプ８や液晶パネル等、プロジェクタの各種電装部品に電源の供給を行う。
【００２４】
光源７の後方には、吸気ファン１２が配されている。吸気ファン１２は、たとえば、遠心ファンである。吸気ファン１２とハウジング９との間には吸気ダクト１３が設けられている。光源７の右側方には、第１の排気ファン１４が配されており、電源部１１の右側方には、第２の排気ファン１５が配されている。さらに、電源部１１の前方には、第３の排気ファン１６が配されている。
【００２５】
図３は光源ランプ８および光学系１０の構成を示す図である。
【００２６】
光源ランプ８は、白色光を発する発光体８ａと、発光体８ａから発せられた光を反射するリフレクタ８ｂと、リフレクタ８ｂの前面開口を覆う耐熱性のガラス板８ｃとを備えている。発光体８ａには、メタルハライドランプが用いられている。その他、たとえば、超高圧水銀ランプ、キセノンランプ等を用いることもできる。
【００２７】
光源ランプ８から出射された白色光は、コンデンサレンズ２０、フライアイインテグレータ２１、ＰＢＳアレイ２２を通過する。フライアイインテグレータ２１は、一対のフライアイレンズ２１ａ、２１ｂからなり、液晶パネル（後述する）に照射される各色光の光量分布を均一化させる。ＰＢＳアレイ２２は、ダイクロイックミラー２４に向かう光の偏光方向を一方向に揃える。
【００２８】
ＰＢＳアレイ２２を通過した光は、コンデンサレンズ２３を通過してダイクロイックミラー２４に入射される。
【００２９】
ダイクロイックミラー２４は、入射された光のうち、青色波長帯の光（以下、「Ｂ光」という）のみを反射し、緑色波長帯の光（以下、「Ｇ光」という）と赤色波長帯の光（以下、「Ｒ光」という）を透過する。
【００３０】
ダイクロイックミラー２４により反射されたＢ光は、フィルタ２５を通過するとともに、コンデンサレンズ２３、２６によるレンズ作用と反射ミラー２７による反射によって、適正な照射状態にて青色用の液晶パネル２８に照射される。液晶パネル２８は、青色用の映像信号に応じて駆動され、その駆動状態に応じてＢ光を変調する。なお、液晶パネル２８の入射側には１枚の入射側偏光板２９が配されており、入射側偏光板２９を介して液晶パネル２８にＢ光が照射される。また、液晶パネル２８の出射側には２枚の出射側偏光板３０が配されており、液晶パネル２８から出射されたＢ光が出射側偏光板３０に入射する。
【００３１】
ダイクロイックミラー２４を透過したＧ光およびＲ光は、フィルタ３１を通過してダイクロイックミラー３２に入射する。ダイクロイックミラー３２は、Ｇ光を反射するとともにＲ光を透過する。
【００３２】
ダイクロイックミラー３２により反射されたＧ光は、コンデンサレンズ２３、３３によるレンズ作用によって、適正な照射状態にて緑色用の液晶パネル３４に照射される。液晶パネル３４は、緑色用の映像信号に応じて駆動され、その駆動状態に応じてＧ光を変調する。なお、液晶パネル３４の入射側には１枚の入射側偏光板３５が配されており、入射側偏光板３５を介して液晶パネル３４にＧ光が照射される。また、液晶パネル３４の出射側には２枚の出射側偏光板３６が配されており、液晶パネル３４から出射されたＧ光が出射側偏光板３６に入射する。
【００３３】
ダイクロイックミラー３２を透過したＲ光は、フィルタ３７、３８、３９を通過するとともに、コンデンサレンズ２３、４０およびリレーレンズ４１、４２によるレンズ作用と反射ミラー４３、４４による反射によって、適正な照射状態にて赤色用の液晶パネル４５に照射される。液晶パネル４５は、赤色用の映像信号に応じて駆動され、その駆動状態に応じてＲ光を変調する。なお、液晶パネル４５の入射側には１枚の入射側偏光板４６が配されており、入射側偏光板４６を介して液晶パネル４５にＲ光が照射される。また、液晶パネル４５の出射側には１枚の出射側偏光板４７が配されており、液晶パネル４５から出射されたＲ光が出射側偏光板４７に入射する。
【００３４】
液晶パネル２８、３４、４５によって変調されたＢ光、Ｇ光、Ｒ光は、出射側偏光板３０、３６、４７を通過してダイクロイックプリズム４８に入射する。ダイクロイックプリズム４８は、Ｂ光、Ｇ光およびＲ光のうち、Ｂ光とＲ光を反射するとともにＧ光を透過し、これにより、Ｂ光、Ｇ光およびＲ光を色合成する。こうして、色合成された映像光が、ダイクロイックプリズム４８から投写レンズ３に向けて出射される。
【００３５】
なお、光学系１０を構成する光変調素子としては、上記透過型の液晶パネル２８、３４、４５の他、反射型の液晶パネルや、ＭＥＭＳデバイスを用いることもできる。また、光学系１０は、上記のように３つの光変調素子を備えた３板式の光学系ではなく、たとえば、１つの光変調素子とカラーホイールを用いた単板式の光学系により構成することもできる。
【００３６】
図４は、第１の排気ファン１４および第２の排気ファン１５の排気口５への取付構造を示す要部の斜視図である。
【００３７】
排気口５の内側には、樹脂製のファンホルダ１７が装着されている。第１の排気ファン１４は、金属製のブラケット１８を介してファンホルダ１７に装着されている。一方、第２の排気ファン１５は、金属製のブラケット１９を介してファンホルダ１７に装着されている。これにより、第２の排気ファン１５は、第１の排気ファン１４の排気側に、その一部が重なるような状態で配されている。なお、第１の排気ファン１４および第２の排気ファン１５は、ともに軸流ファンである。
【００３８】
また、第１の排気ファン１４および第２の排気ファン１５は、排気口５に対して斜めに配されている。このため、これら排気ファン１４、１５と排気口５との間には、比較的大きな空間が形成されている。
【００３９】
図５は、光源ランプ８および電源部１１からの排気について説明するための図である。同図では、プロジェクタの内部構造が現われている。また、ハウジング９の上面板と、ファンホルダ１７およびブラケット１８、１９とが省略されている。
【００４０】
プロジェクタの運転時には、吸気ファン１２および各排気ファン１４、１５、１６が駆動される。吸気ファン１２に引き込まれた外気は、吸気ダクト１３を通ってハウジング９の内部に至り、光源ランプ８の内部および外部を冷却する。
【００４１】
光源ランプ８との熱交換により高温となった空気は、ハウジング９から排出されて、第１の排気ファン１４に引き込まれる。ここで、第１の排気ファン１４の排気側には、第２の排気ファン１５の一部が重ねられている。このため、第１の排気ファン１４から排気された空気は、その一部が排気口５から直接外部に排出されるとともに、他の一部が第２の排気ファン１５に引き込まれる。
【００４２】
第２の排気ファン１５には、電源部１１側からも電源部１１等を冷却した空気が引き込まれる。これにより、第１の排気ファン１４からの空気と電源部１１側からの空気とが、第２の排気ファン１５と吸気口５との間の空間で混合された後に排気口５から排出される。電源部１１側からの空気は、光源７からの空気に比べてはるかに低温であるため、光源７からの高温の空気は、低温化されて外部に排出されることとなる。
【００４３】
なお、電源部１１側からの空気は、第３の排気ファン１６によっても外部に排出される。
【００４４】
このように、光源７からの空気の一部が、第２の吸気ファン１５に引き込まれ、第２の排気ファン１５からも外部に排出されるので、極めて高温となる光源７からの空気を広い範囲に分散して強力に排出することができる。また、光源７からの空気を電源部１１側からの空気と混合し、低温化して排出することができる。
【００４５】
さて、本実施の形態に係る投写型表示装置では、第１の排気ファン１４と第２の排気ファン１５が、排気方向に一部重なるように配されている。しかも、互いに、比較的近い距離で配されている。このため、運転の際、双方の排気ファン１４、１５が共振することによる騒音も発生する。
【００４６】
そこで、本実施の形態に係るプロジェクタでは、かかる騒音に配慮して、第１の排気ファン１４と第２の排気ファン１５との排気方向の距離Ｄが設定されている。さらに、第１の排気ファン１４の温度および排気口５からの排気温度にも配慮して、上記距離Ｄが設定されている。
【００４７】
図６および図７は、第１の排気ファン１４と第２の排気ファン１５との距離を設定するために行われた温度・騒音測定試験について説明する図である。今回の温度・騒音測定試験は、第１の排気ファン１４と第２の排気ファン１５との距離Ｄを変化させて、排気口５からの排気温度、第１の排気ファンの温度（ファン温度）およびプロジェクタの騒音値を測定したものである。ここでは、同じ機種の３台のプロジェクタ（セット１、セット２、セット３）について、温度・騒音試験が行われている。
【００４８】
図６（ａ）は、温度・騒音試験に使用したプロジェクタにおける第１の吸気ファン１４および第２の吸気ファン１５の具体的な配置関係を示す図である。図６（ｂ）、（ｃ）は、温度センサおよびマイクの配置関係を示す図である。
【００４９】
各プロジェクタにおいて、第２の排気ファン１５と光源ランプ８との位置関係は、図６（ａ）に示す通りである。即ち、第２の排気ファン１５の吸気側の端面と光源ランプ８との距離は４７．９ｍｍ、第２の排気ファン１５の下端と光源ランプ８の光軸Ｌとの距離は６０．１ｍｍ、第２の排気ファン１５の光軸Ｌに対する傾き角は７３°とされている。また、第１の排気ファン１４と第２の排気ファン１５および光源ランプ８との位置関係も、図６（ａ）に示す通りである。即ち、第１の排気ファン１４と第２の排気ファン１５の重なり量は２０．０ｍｍ、第１の排気ファン１４の光軸Ｌに対する傾き角は６０°とされている。第１の排気ファン１４および第２の排気ファン１５の外形寸法は、ともに、縦７０ｍｍ×横７０ｍｍ×厚さ１５ｍｍである。
【００５０】
今回の温度・騒音測定試験では、図６（ａ）に示す設置条件において、第１の排気ファン１４を、第２の排気ファン１５との重なり量を変えることなく軸方向（図６（ａ）の矢印Ｐの方向）に移動させ、その間の排気温度、ファン温度および騒音値を測定している。第１の排気ファン１４の移動距離は、上記距離Ｄが８．３２８ｍｍである初期位置から光源ランプ８側に１０ｍｍとしている。後述する図７の各グラフには、初期位置から１ｍｍ単位で０〜１０の数字が付されている。
【００５１】
プロジェクタは通常状態で運転され、運転時の排気温度、ファン温度および騒音値が測定される。光源ランプ８は、メタルハライドランプであり、運転時には、出力２７５Ｗで点灯する。第１の排気ファン１４および第２の排気ファン１５は、定格電圧１２Ｖ、最大風量０．８２ｍ３／ｍｉｎのものであり、運転時の第１の排気ファン１４の入力電圧は８．５Ｖに設定され、第２の排気ファン１５の入力電圧は７．８Ｖに設定されている。
【００５２】
温度と騒音値は個別に測定される。温度測定時には、周囲温度が約２５℃に維持される。また、騒音値の測定は、無響音室にて行われる。
【００５３】
温度センサおよびマイクの配置は、図６（ｂ）、（ｃ）に示す通りである。排気温度は、排気口５に設置された温度センサに測定される。ファン温度は、第１の排気ファン１４のモータ部分に設置された温度センサにより測定される。騒音値は、プロジェクタの前後左右の中心軸上であって、プロジェクタから１ｍの距離で、且つ設置面から３０°上方の位置に設置された４つのマイクによって測定される。騒音値は、４つのマイクの騒音値を平均化し、さらに暗騒音により補正することにより求められる。
【００５４】
図７（ａ）から（ｃ）は、第１の排気ファン１４と第２の排気ファン１５との距離Ｄに対する排気温度、ファン温度および騒音値の測定結果を示すグラフである。
【００５５】
図７の３つのグラフから、排気温度およびファン温度は、第１の排気ファン１４が第２の排気ファン１５から離れ、光源ランプ８に近づくに従って上昇する変化特性を有することが分かる。これは、第１の排気ファン８が光源ランプ８に近づくほど、光源ランプ８から直接引き込む空気の量が増加するためと考えられる。
【００５６】
一方、騒音値は、第１の排気ファン１４が第２の排気ファン１５から離れるほど低下する変化特性を有することが分かる。これは、双方の排気ファン１４、１５が離れるほど、共振による騒音が減少するためと考えられる。
【００５７】
ここで、今回の温度・騒音測定試験の結果から、図７の３つのグラフともに、騒音値の変化特性において、距離が変化しても騒音値が変化しない区間Ｆ（以下、「平坦区間Ｆ」という）が存在することが判明した。なお、特性毎に平坦区間Ｆの位置や個数が変わるのは、排気ファン等の部品自身の構造や性能のばらつき、組立後の各部品の位置関係のばらつき等が影響しているものと考えられる。
【００５８】
本実施の形態では、このように騒音値の変化特性が平坦区間Ｆを有することに着目し、第１の排気ファン１４と第２の排気ファン１５との距離Ｄが、平坦区間Ｆの範囲内に設定される。こうすると、プロジェクタが使用されているうちに、万一、第１の排気ファン１４や第２の排気ファン１５の固定が緩むなどして、双方の排気ファン１４、１５の距離Ｄが変動しても、これに伴う騒音値の変化が抑えられる。よって、騒音値が変わることにより、ユーザに違和感を生じさせてしまうのを防止することができる。
【００５９】
なお、理想的には、プロジェクタ個々に騒音値を測定して平坦区間Ｆを求め、当該平坦区間内に、第１の排気ファン１４と第２の排気ファン１５との距離Ｄを設定するのが望ましい。しかし、実際には、製造する全てのプロジェクタについて、個々に騒音値を測定して距離Ｄを調整するのは、生産効率の面から、困難である。よって、現実的には、同一機種の複数のプロジェクタについて図７の特性を求めて、当該機種における騒音特性の傾向を求め、かかる傾向をもとに、当該機種に対する距離Ｄを設定する方法がとられる。勿論、個々に測定を行える場合には、各プロジェクタについて騒音値を測定して平坦区間Ｆを求め、求めた平坦区間Ｆをもとに距離Ｄを調整すると良い。
【００６０】
また、このように距離Ｄを設定する場合には、同時に排気温度とファン温度をも考慮して距離Ｄの設定を行うのが望ましい。すなわち、第１の排気ファン１４と第２の排気ファン１５との距離Ｄは、安全認証（ＵＬ認証）との関係から、排気温度が規定温度（セット保障温度）以下、たとえば、周囲温度３５℃の環境下で９５℃以下となるように設定される必要がある。さらに、上記距離Ｄは、ファン温度が、メーカーが適正運転を保障する保障温度（セット保障温度）以下、たとえば、周囲温度３５℃の環境下で８５℃以下となるように設定される必要がある。
【００６１】
したがって、第１の排気ファン１４と第２の排気ファン１５との距離Ｄは、平坦区間Ｆの範囲に含まれる他、排気温度とファン温度もまた規定温度および保障温度以下となるように設定する必要がある。たとえば、プロジェクタが図７（ａ）、（ｂ）の特性を有する場合、距離Ｄを１２．３２８〜１３．３２８ｍｍの範囲に設定すると、排気温度とファン温度もまた規定温度以下および保障温度以下となる。
【００６２】
なお、周囲温度が１０℃上昇すれば、排気温度やファン温度も、ほぼ同様に上昇することとなるが、上記のように距離Ｄを１２．３２８〜１３．３２８ｍｍの範囲に設定すると、周囲温度が図７（ａ）、（ｂ）の測定時から１０℃上昇して３５℃となっても、排気温度が規定温度９５℃以下、ファン温度が保障温度８５℃以下の条件をクリアすることができる。
【００６３】
このように、排気温度とファン温度をも考慮して、第１の排気ファン１４と第２の排気ファン１５との距離Ｄを設定することで、排気口５から過度に高温の排気が排出されるのを防止することができ、また、第１の排気ファン１４が保障温度を超えて高温となって、その動作に支障が生じるのを防止することができる。
【００６４】
以上、本発明の実施の形態について説明したが、本発明は、上記実施の形態に限定されるものではない。また、本発明の実施の形態も、特許請求の範囲に示された技術的思想の範囲内において、適宜、種々の変更が可能である。
【符号の説明】
【００６５】
５    排気口
７    光源
８    光源ランプ
１４  第１の排気ファン
１５  第２の排気ファン
【図１】
2011075732.tif 000003
【図２】
2011075732.tif 000004
【図３】
2011075732.tif 000005
【図４】
2011075732.tif 000006
【図５】
2011075732.tif 000007
【図６】
2011075732.tif 000008
【図７】
2011075732.tif 000009